(57)【要約】【課題】  先行技術ではバッグを既設の導管に差し込む構成として水密状態を維持することが困難であり、家庭内上水道配管などの交換については問題があった。【解決手段】  既設の水道管にサドル分水栓を取り付け、さらに該サドル分水栓に穿孔機及び水道管内にその軸に対して直交するように進退自在に昇降し且つ止水可能に膨張するバッグを備えた止水器を付け替え可能なアタッチメントを取り付けて、前記穿孔機により水道管への穿孔作業を行った後、前記アタッチメントに止水器を取り付け、前記バッグを水道管内まで進入させて該止水器にポンプを接続し、そのポンプ圧により前記バッグを膨張させて水道管を止水した状態でバイパス作業を行う。止水器はバッグ底を水道管の管底に密着可能な押止部材を備えたものを使用する。ポンプは液圧ポンプを使用する。【選択図】        図９
2005147228.tif 000002
【特許請求の範囲】
【請求項１】
既設の水道管にサドル分水栓を取り付け、さらに該サドル分水栓に穿孔機及び水道管内にその軸に対して直交するように進退自在に昇降し且つ止水可能に膨張するバッグを備えた止水器を付け替え可能なアタッチメントを取り付けて、前記穿孔機により水道管への穿孔作業を行った後、前記アタッチメントに止水器を取り付け、前記バッグを水道管内まで進入させて該止水器にポンプを接続し、そのポンプ圧により前記バッグを膨張させて水道管を止水した状態でバイパス作業を行うことを特徴とした二次側配管のバイパス工法。
【請求項２】
止水器はバッグ底を水道管の管底に密着可能な押止部材を備えたものを使用する請求項１記載の二次側配管のバイパス工法。
【請求項３】
ポンプは液圧ポンプを使用する請求項１または２記載の二次側配管のバイパス工法。
【請求項４】
水道管に取り付け可能なサドル分水栓と、該サドル分水栓に穿孔機及び止水器を付け替え可能に取り付けられるアタッチメントと、前記止水器に接続されるポンプとからなり、前記止水器は水道管内にその軸に対して直交するように進退自在に昇降し、且つ、前記ポンプのポンプ圧により水道管内で止水可能に膨張するバッグを備えてなることを特徴とする二次側配管のバイパス工法に用いる装置。
【請求項５】
止水器はバッグの下降時にバッグ底を水道管の管底に密着可能な押止部材を備えてなる請求項４記載の二次側配管のバイパス工法に用いる装置。
【請求項６】
ポンプは液圧ポンプにより構成される請求項４または５記載の二次側配管のバイパス工法に用いる装置。
【発明の詳細な説明】
【技術分野】
【０００１】
本発明は、水道メータの下流側の既設配管を全面的に交換することなく、バイパス配管を行うための工法に関するものである。
【背景技術】
【０００２】
鉄筋コンクリートを用いて建てられたビルなどでは、水道メータ下流側の配管が老朽化した場合には、木造建築物における補修よりもきわめて困難である。しかも、たとえば病院における水道配管では老朽化した配管を補修、あるいは交換する場合でも水道配管全体を遮断することは患者の生命の危険という側面から避けるべきであり、必要最小限の配管箇所だけを遮断し、全体の配管は不断水で行わなければならないという要請がある。これを達成するための公知技術しては、特許文献１に示す先行技術が存在する。
【０００３】
【特許文献１】実願昭６３−８４６２号のマイクロフィルム（実開平１−１１３６９５号）
【発明の開示】
【発明が解決しようとする課題】
【０００４】
この先行技術では、導管を弾性素材からなるバッグによって遮断し、別途接続管を設ける構成である。しかしながら、この先行技術ではバッグを既設の導管に差し込む構成として水密状態を維持することが困難であり、家庭内上水道配管などの交換については問題があった。
【０００５】
本発明では、基本的には先行技術における流体封入バッグによって配管流路を閉塞し、バイパス工法を行うものであるが、より確実に流路を遮断して付け替え工事を行うことができる構成および工法を開示するものである。
【課題を解決するための手段】
【０００６】
上述した目的を達成するために本発明では、水道管に水道分岐に用いるサドル分水栓及び穿孔機を使用して一時止水のための穿孔作業を行うことを前提とする。而して、その特徴はサドル分水栓に穿孔機取付用のアタッチメントを止水器の取付けに兼用することにある。これにより、穿孔作業と止水作業はアタッチメントに対する付け替えだけで行え、連続して作業を進めることができる。また、止水器は水道管内にその軸に対して直交するように進退自在に昇降するバッグを備えたものを使用するため、管軸に対して平行あるいは斜めの姿勢となる構成に比べて、止水面積の確保が早く、より確実な止水状態を得ることができる。
【０００７】
また、止水器はバッグ底を水道管の管底に密着可能な押止部材を備えたものを使用するため、その接点を固定点として水圧による影響を回避しつつバッグを安定して膨張させることができる。また、この押止部材の押止力の調整によりバッグの形状を細長い棒状とすることができ、水道管への進入前にはサドル分水栓の分水孔や分岐孔内での通りが良く、また水道管内への進入後、止水のための膨張前には水圧を受ける面積が小さくなり、バッグを一定の姿勢のまま水道管内に挿入することができる。
【０００８】
さらに、ポンプとして液圧ポンプを使用することとしたので、ガスポンプに比べてポンプ圧を幅広く、且つ、高圧も容易に得られる。つまり、地域によって水道圧に差が生じる場合に対応したもので、例えば下限は０．５気圧程度から、上限は７気圧程度のポンプ圧を得ることができる。
【発明の効果】
【０００９】
このように本発明によれば、水道管にサドル分水栓を取り付け、さらに該サドル分水栓に穿孔機及び水道管内にその軸に対して直交するように進退自在に昇降し且つ止水可能に膨張するバッグを備えた止水器が付け替え可能なアタッチメントを取り付けて、前記穿孔機により水道管への穿孔作業を行った後、前記アタッチメントに止水器を取り付け、前記バッグを水道管内に位置させた状態で該止水器にポンプを接続し、そのポンプ圧により前記バッグを膨張させて水道管を止水した状態でバイパス作業を行うようにしたので、付け替え可能なアタッチメントの作用により穿孔作業と止水作業を連続して行え、作業の簡略化を図ることができる。また、止水器につきバッグは水道管内にその軸に対して直交するように昇降する構成としたから、バッグにポンプ圧を送るタイミングが判別しやすく、またより確実な止水を行うことができる。
【００１０】
また、止水器はバッグ底を水道管の管底に密着可能な押止部材を備えたものを使用するようにしたので、バッグの膨張時の姿勢を維持しやすく、これまた、より確実な止水作業を行うことができる。
【００１１】
さらに、ポンプは液圧ポンプを使用するようにしたので、ポンプ圧をその地域の水道圧に応じて調整できるといった実用的効果を発揮するものである。
【発明を実施するための最良の形態】
【００１２】
以下、本発明の好ましい実施の形態を添付した図面に従って説明する。先ず、本発明の方法は第一工程として水道管への穿孔作業、第二工程としてバッグによる止水作業、第三工程としてバイパス作業から構成される。図１は第一工程の穿孔作業に用いる装置を示したもので、図中、１は水道管、２は水道管１に挟持固定されるサドル分水栓、３は穿孔機、４はサドル分水栓２に穿孔機３を取り付けるためのアタッチメント、５は穿孔機４内部と連通し、穿孔時における水圧や切粉を排出するためのドレンバルブである。
【００１３】
図２は装置内部を示した図１の縦断面図、図３は図２におけるＡ−Ａ線断面図であり、これらの図に基づいて穿孔機３の詳細な構成を説明すると、回転ハンドル６には円筒ラック７が軸止され、その下端にスピンドル８、さらにスピンドル８の先端には刃物９が取り付けられている。ここでハンドル６の回転は、図３に示したように、ハンドル軸に設けられた送りギア１０、これと噛み合うウォーム１１、該ウォーム１１と噛合するウォームホイール１２、さらにウォームホイール１２とスライドシャフト１３に同軸状に設けられたラックピニオン１４を介して、円筒ラック７に伝達される。即ち、これら複数のギア類を介して、ハンドル６の回転を減速しながら刃物９の進出・回転に変換し、穿孔作業を可能としてる。具体的にはハンドル１回転当たりの刃物９の進出量は、例えば０．１〜０．１５ｍｍに設定されるが、必ずしもこの設定量に限定するものではない。
【００１４】
また、前記スライドシャフト１３は進退可能に構成され、その動きによってラックピニオン１４と円筒ラック７の噛合及びその解除を切り替えるようにしている。つまり、スライドシャフト１３の位置によって、ラックピニオン１４が円筒ラック７と噛合しているときは、ハンドル６の操作により刃物９に回転及び上下運動力を与える一方、前記噛合が解除されているときは、円筒ラック７はフリーな状態としてスピンドル８を自由に上下動させることができる。
【００１５】
なお、ここに示した穿孔機３を初め、サドル分水栓２やアタッチメント４は、一例であって、水道管１からの分岐作業に用いる従来構成のものを採用することができる。
【００１６】
以上の構成に基づき、第一工程の穿孔作業手順を説明すると、先ず穿孔機３の準備として、スピンドル８の先端に刃物９を取り付け、ハンドル６の出位置が最長となるように設定した後、スライドシャフト１３を操作して、ラックピニオン１４と円筒ラック７を噛合状態としておく。次にサドル分水栓２を水道管１に取り付け、さらにサドル分水栓２にアタッチメント４をねじ込み固定する。そして、サドル分水栓２の分水孔が全開状態にあることを確認した後、穿孔機３をアタッチメント４を介してサドル分水栓２に取り付ける。また、ドレンバルブ５を開弁しておく。さらに一旦、スライドシャフト１３を反対方向に引っ張り出し、ラックピニオン１４と円筒ラック７との噛合を解除して、フリーの状態のままハンドル６を降下させ、刃物９を水道管１の管頂部分に当接させる。しかる準備作業の後、スライドシャフト１３を押し、ラックピニオン１４と円筒ラック７を噛合させ、ハンドル６を回転操作することによって穿孔作業を行う（図４参照）。この穿孔作業時に発生する水道管１の切粉や水圧は、上述したように、刃物９およびスピンドル８の中心に設けられた軸孔を通り、穿孔機３の内部を通過後、ドレンバルブ５から外部に排出される。
【００１７】
而して、刃物９による水道管１の穿孔完了後、スライドシャフト１３の操作により円筒ラック７をフリーとして、ハンドル６を引っ張り上げ、スピンドル８と共に刃物９を上昇させた後、サドル分水栓２の分水孔及びドレンバルブ５を閉じ、アタッチメント４から穿孔機３を取り外すことによって、一連の穿孔作業を完了する。ただし、アタッチメント４は後述する止水作業時にも共用するため、サドル分水栓２に取り付けたままとしておく。
【００１８】
続いて、図５は第二工程に係る止水作業を実施するための構成を示したもので、１５は止水器、１６は手動レバー式の液圧ポンプ、１７はチューブ、１８・１９はそれぞれカプラ構造としてチューブ１７と止水器１５を連結するためのプラグ・ソケットである。なお、図中、２０は圧力計、２１はボールバルブである。
【００１９】
止水器１５は、図６に示すように、ネジシャフト２２に対して中心に内ネジを設けた回転ハンドル２３を回転可能に設け、その先端に緩衝用バネ２４を介してゴム製または弾性合成樹脂製のバッグ２５を装備してなる。ネジシャフト２２軸内部にはソケット１９とバッグ２５を連通する軸孔２６が貫設されており、液圧ポンプ１６による水注入は該軸孔２６を通して前記バッグ２５を膨張させる。また、バネ２４の下端側受け板２７にはシャフト２８ａを介してバッグ２５の内部底を押さえる押止部材２８が設けられている。
【００２０】
一方、液圧ポンプ１６は、図７に示すように、後端を蓋２９によって密封されるタンク３０に、レバー３１によってタンク３０内の水を圧出するプランジャ機構３２を備えてなる。また、プランジャ機構３２による圧出孔３３は逆止構造３４をも備え、レバー３１の戻り位置でも水の戻りを回避して、レバー３１操作による水の連続圧出を可能としてる。
【００２１】
上記構成に基づき第二工程の止水作業を説明すると、先ず止水前準備として、止水器１５につき、ネジシャフト２２の先端にバッグ２５を取り付け、またネジシャフト２２はハンドル２３からの突出量が最大となるようにセット調整しておく（セット位置）。このセット調整によって、バッグ２５はシャフト２８ａおよび押止部材２８の突張り作用によって棒状に伸張され、サドル分水栓２の分水孔並びに水道管１の分岐孔に挿入並びに抜脱しやすい状態となる。
【００２２】
一方、液圧ポンプ１６の前準備は、ボールバルブ２１を閉じた状態とし、蓋２９を開けて後端よりタンク３０内に水を注入後、蓋２９を閉じて封水した状態としておく。このとき液圧ポンプ１６にチューブ１７を接続しておくことはもちろんである。
【００２３】
而して、止水器１５をアタッチメント４を介してサドル分水栓２に取り付けた後、サドル分水栓２の分水孔を全開にし、止水器１５のハンドル２３を回転操作してバッグ２５を水道管１の内部管底に到達するまで降下させる（図８参照）。このときバッグ２５は水道管１にその軸に対して直交するように降下する。そして、止水器１５のソケット１９に液圧ポンプ１６側のプラグ１８を接続し、圧力計２０および水道管１の状態を注視しながら、液圧ポンプ１６のレバー３１を操作してタンク３０内の水を止水器１５（バッグ２５）に送出する。この水注入によってバッグ２５は水道管１の内壁と密着するように膨張し、水道管１を止水することができる（図９参照）。また、押止部材２８によってバッグ２５は水道管１に密着固定された状態にあるため、バッグ２５を安定して膨張させることができ、より確実に水道管１を止水することができる。そして、この止水状態でバイパス作業を行う。
【００２４】
以後、プラグ１８・ソケット１９のカプラ接続を解除し、止水器１５側にてハンドル２３をセット位置まで戻した後、サドル分水栓２の分水孔を閉止し、止水器１５及びアタッチメントを取り外して、通法に倣いバイパス管を取付け後、サドル分水栓２の分水孔を全開してバイパス作業を行い、全作業を終了する。
【図面の簡単な説明】
【００２５】
【図１】第一工程に係る穿孔作業に使用する装置を示した外観図
【図２】図１の縦断面詳細図（穿孔前）
【図３】図２におけるＡ−Ａ線断面図
【図４】図２から穿孔状態に変移した状態を示した縦断面詳細図
【図５】第二工程に係る止水作業に使用する装置を示した外観図
【図６】図５の特に止水器を示した縦断面詳細図
【図７】液圧ポンプの横断面図
【図８】図５からバッグ挿入に変移した状態を示した要部断面図
【図９】図８からさらにバッグ膨張に変移した状態を示した要部断面図
【符号の説明】
【００２６】
１  水道管
２  サドル分水栓
３  穿孔機
４  アタッチメント
５  ドレンバルブ
１５  止水器
１６  液圧ポンプ
１７  チューブ
２５  バッグ
【図１】
2005147228.tif 000003
【図２】
2005147228.tif 000004
【図３】
2005147228.tif 000005
【図４】
2005147228.tif 000006
【図５】
2005147228.tif 000007
【図６】
2005147228.tif 000008
【図７】
2005147228.tif 000009
【図８】
2005147228.tif 000010
【図９】
2005147228.tif 000011